(57)【特許請求の範囲】
【請求項１】
ロータリーピストンポンプ用ロータリーピストン（１０）であり、
前記ロータリーピストン（１０）は少なくとも１つの支持体（１２）と、
前記少なくとも１つの支持体の半径方向外側に配置され、前記少なくとも１つの支持体（１２）に可撓的に接続され、好ましくは弾性的に接続され、前記ロータリーピストンの幅方向と前記ロータリーピストンの回転軸線D周りの方向とに、変位することができる、少なくとも１つの寸法安定性のある端部キャップ部（１４，１６）とを備え、
前記ロータリーピストンの前記回転軸線Dは前記少なくとも１つの支持体（１２）を通って延在する、ロータリーピストン（１０）。
【請求項２】
請求項１に記載のロータリーピストン（１０）であり、
前記ロータリーピストン（１０）の前記少なくとも１つの支持体（１２）と、前記少なくとも１つの端部キャップ部（１４，１６）とは、互いに少なくとも１つのエラストマー緩衝層（１８）経由で接続されることを特徴とする、ロータリーピストン（１０）。
【請求項３】
請求項１又は２に記載のロータリーピストン（１０）であり、
前記ロータリーピストン（１０）は、互いに少なくとも１つの輪状パケット（３６，３８）経由で接続される少なくとも２つの端部キャップ部（１４，１６）を備えることを特徴とする、ロータリーピストン（１０）。
【請求項４】
請求項３に記載のロータリーピストン（１０）であり、
前記少なくとも２つの端部キャップ部（１４，１６）を接続する前記少なくとも１つの輪状パケット（３６，３８）は、前記少なくとも１つの支持体（１２）に沿って延び、
前記少なくとも２つの端部キャップ部（１４，１６）はそれぞれ、前記少なくとも１つの輪状パケット（３６，３８）が巻き付く、少なくとも１つの連結手段（４０，４２）を有することを特徴とする、ロータリーピストン（１０）。
【請求項５】
請求項１又は２に記載のロータリーピストン（１１０）であり、
前記少なくとも１つの支持体（１１２）及び前記少なくとも１つの端部キャップ部（１１４，１１６）は互いに、少なくとも１つの輪状パケット（１６８１，１６８２，１６８３，１６８４）経由で接続されることを特徴とする、ロータリーピストン（１１０）。
【請求項６】
請求項５に記載のロータリーピストン（１１０）であり、
前記少なくとも１つの支持体（１１２）及び前記少なくとも１つの端部キャップ部（１１４，１１６）は互いに、少なくとも１つの輪状パケット配列（１６８，１７０）経由で接続されることを特徴とする、ロータリーピストン（１１０）。
【請求項７】
請求項６に記載のロータリーピストン（２１０）であり、
前記少なくとも１つの輪状パケット配列（２６８，２７０）の前記輪状パケット（２６８１，２６８２，２６８３，２６８４）は、前記少なくとも１つの支持体（２１２）及び前記少なくとも１つの端部キャップ部（２１４，２１６）上に、前記少なくとも１つの輪状パケット配列（２６８，２７０）の少なくとも２つの輪状パケット（２６８１，２６８２，２６８３，２６８４）が交差するような方法で配置されることを特徴とする、ロータリーピストン（２１０）。
【請求項８】
請求項６に記載のロータリーピストン（１１０）であり、
前記少なくとも１つの輪状パケット配列（１６８，１７０）の前記輪状パケット（１６８１，１６８２，１６８３，１６８４）は、前記少なくとも１つの支持体（１１２）及び前記少なくとも１つの端部キャップ部（１１４，１１６）上に、前記少なくとも１つの輪状パケット配列（１６８，１７０）の前記輪状パケット（１６８１，１６８２，１６８３，１６８４）が前記少なくとも１つの支持体（１１２）と前記少なくとも１つの端部キャップ部（１１４，１１６）との間に互いに平行に延びるような方法で配置されることを特徴とする、ロータリーピストン（１１０）。
【請求項９】
請求項６〜８の一項に記載のロータリーピストン（１１０）であり、
前記少なくとも１つの連結手段（１４８，１５０，１５２）をそれぞれ、前記少なくとも１つの支持体（１１２）上及び前記少なくとも１つの端部キャップ部（１１４，１１６）上に設け、
前記少なくとも１つの輪状パケット配列（１６８，１７０）の少なくとも１つの輪状パケット（１６８１，１６８２，１６８３，１６８４）は、前記少なくとも１つの支持体（１１２）の前記少なくとも１つの連結手段（１４８，１５０，１５２）と、前記少なくとも１つの端部キャップ部（１１４，１１６）の連結手段（１４８，１５０，１５２）とに巻き付くことを特徴とする、ロータリーピストン（１１０）。
【請求項１０】
請求項９に記載のロータリーピストン（３１０）であり、
前記少なくとも１つの輪状パケット配列（３６８，３８０）の前記輪状パケット（３６８１，３６８２，３６８３，３６８４）のすべては、前記少なくとも１つの端部キャップ部（３１４，３１６）上の前記少なくとも１つの連結手段（３４８，３５０，３５２）に巻き付くことを特徴とする、ロータリーピストン（３１０）。
【請求項１１】
請求項５〜１０のいずれか一項に記載のロータリーピストン（４０１）であり、
前記少なくとも１つの輪状パケット（４６８１，４６８２，４６８３，４６８４）は、少なくとも１つのガイド要素（４８６）の周りに湾曲した形で導かれることを特徴とする、ロータリーピストン（４０１）。
【請求項１２】
請求項３〜１１に記載のロータリーピストン（１０；１１０）であり、
前記少なくとも１つの輪状パケット（３６，３８；１６８１，１６８２，１６８３，１６８４）は、少なくとも一部で、前記少なくとも１つのエラストマー緩衝層（１８，１１８）に埋め込まれることを特徴とする、ロータリーピストン（１０；１１０）。
【請求項１３】
請求項１又は２に記載のロータリーピストン（７１０）であり、
前記少なくとも１つの支持体（７１２）及び前記少なくとも１つの端部キャップ部（７１４，７１６）は、互いに形状嵌めによって接続されることを特徴とする、ロータリーピストン（７１０）。
【請求項１４】
請求項１３に記載のロータリーピストン（７１０）であり、
前記少なくとも１つの支持体（１１２）及び前記少なくとも１つの端部キャップ部（７１４，７１６）は、形状嵌めを生み出すために、少なくとも１つの突起（７８８，７９０）及び少なくとも１つの凹部（７９２，７９４）の少なくとも１つの相補的な対を有することを特徴とする、ロータリーピストン（７１０）。
【請求項１５】
請求項１〜１４の一項に記載のロータリーピストン（１０）を少なくとも１つ有する、ロータリーピストンポンプ。
【発明の詳細な説明】
【技術分野】
【０００１】
本発明は、ロータリーピストンポンプ用ロータリーピストンに関するものである。
【背景技術】
【０００２】
ロータリーピストンポンプは従来技術から知られており、例えば特許文献１に開示されている。この文献によるロータリーピストンポンプは、モーターと、ロータリーピストンが配置されるポンプハウジングとを備える。ポンプハウジングには、流入開口部及び流出開口部を更に設ける。ハウジングに配置される２つのロータリーピストンが反対の方向に回転して、継続中の相互接触が存在する場合に、運搬される媒体を抽出することができる。
【０００３】
ロータリーピストンポンプによって固形物を含む媒体を運搬する場合、ポンプハウジングのロータリーピストンは、磨耗が増加することがあり、この摩耗により、ロータリーピストンが機能不全となることがある。それ故に、そのような媒体の運搬は、より大掛かりなメンテナンスを伴う。
【０００４】
特許文献２には、固形物を含む液体を運搬するのにも適したロータリーポンプが記載されている。この従来技術では、ロータリーピストンポンプのロータリーピストンはそれぞれ、鋼製の支持体によって３つの弾性封止ストリップに取り付けられ、この支持体をここでは翼と呼ぶ。封止ストリップは全体として弾性材料から、例えばゴム又はプラスチックから形成され、圧力嵌め又は形状嵌めの接続によって、支持体に固定して取り付けられる。高い負荷の場合に、特に固形物を含む媒体を運搬する際に、それぞれのストリップは、当該負荷によって変形する。この従来技術は更に、異物によるロータの閉塞をもたらすことがある特に高い負荷の場合に、切り離される、ストリップと支持体との間の接続手段を提供する。当該従来技術において、弾性材料のストリップは高度の摩耗を受けることが示されている。高負荷によって、設定された破断限界点の結果として、ストリップが支持体から分離するおそれが実際に存在する場合、さらに動作中非生産的にもなる。このことは、ロータリーピストンポンプへ、完全な故障及び大きな損傷をもたらすことがある。
【０００５】
特許文献３及び特許文献４にはそれぞれ、ロータリーピストンポンプが記載されており、ロータリーピストンポンプのロータリーピストンには、支持体と複数の端部キャップ部とが設けられており、個々の部品がエナメルのコーティングによって囲まれ、さらに一部ではプラスチックの被覆材料で囲まれている点で、当該部品が攻撃的な媒体に対して保護される。このことは、用いたプラスチックのクリープ性と、結果として起こるポンプの動作に対する悪影響を抑制することを目的としている。
【先行技術文献】
【特許文献】
【０００６】
【特許文献１】ドイツ特許出願公開第102 010 014 248号明細書
【特許文献２】ドイツ特許出願公開第37 07 722号明細書
【特許文献３】ドイツ特許出願公開第1 807 392号明細書
【特許文献４】ドイツ特許出願公開第2 056 661号明細書
【発明の概要】
【発明が解決しようとする課題】
【０００７】
本発明の目的は、ロータリーピストンに関する摩耗を低減することができ、メンテナンスの間隔を伸ばすことができ、ロータリーピストンポンプの見込まれる停止時間を低減することができる、ロータリーピストンポンプ用のロータリーピストンを提供することである。
【課題を解決するための手段】
【０００８】
独立請求項１に係る構成を有するロータリーピストンポンプ用のロータリーピストンによって、この目的を達成する。
【０００９】
付随のサブクレームにおいて、本発明のさらなる実施形態を明らかにする。
【００１０】
本発明に係るロータリーピストンは、少なくとも１つの支持体と、少なくとも１つの実質的に寸法安定性のある端部キャップ部とを備え、多関節体の回転軸線は前記少なくとも１つの支持体を通って延在する。少なくとも１つの端部キャップ部は、少なくとも１つの支持体から半径方向外側に配置され、少なくとも１つの支持体に可撓的に、好ましくは弾性的に、接続される。それ自体が寸法的安定性のある少なくとも１つの端部キャップ部と少なくとも１つの支持体との間の接続の可撓性が、少なくとも１つの端部キャップ部の少なくとも１つの支持体に対するたわみ又は変位を可能にするため、少なくとも１つの支持体と少なくとも１つの端部キャップ部との可撓性のある、特に弾性の接続によって、本発明に係るロータリーピストンを設けたロータリーピストンポンプの固形物の可動性が向上する。動作中の実際の負荷状況に応じて、少なくとも１つの端部キャップ部の支持体に対する、ロータリーピストンの回転軸線方向、回転軸線に垂直な方向、及び回転軸線周りの方向の、たわみ及び傾斜運動が許容される。
【００１１】
少なくとも１つの端部キャップ部と少なくとも１つの支持部との間の可撓性のある、特に弾性の接続は所定の弾力を有するため、ロータリーピストンの動作中に、特に固形物を含む媒体の運搬中に、発生する力の効果は、特に、ロータリーピストンポンプのロータリーピストンの間、又はロータリーピストンとポンプハウジングとの間での固形物が誘発する負荷及び摩擦を軽減するように、少なくとも１つの支持体に対してたわませ又は変位させることができる。この間、少なくとも１つの端部キャップ部は変形せず、又は無視できる程度で変形する。それ故に、端部キャップ部を硬い材料から、例えば鋼から、製造することができる。
【００１２】
さらに、本発明に係るロータリーピストンによって、ロータリーピストンがポンプハウジング内で、媒体が原因で詰まることを抑制することができる。従来のロータリーピストンでは、例えば固形物がロータリーピストンの外周面とポンプハウジングとの間に詰まる可能性があり、このことは最悪の場合、ロータリーピストンを詰まらせ、運搬される媒体の供給を妨げる可能性がある。あるいは、従来技術は、発生する力により永続的な変形を受ける、非常に変形しやすいロータリーピストンの部品を示し、それ故に当該部品はすぐに摩耗することがある。本発明に係るロータリーピストンにおいて、少なくとも１つの寸法安定性のある端部キャップ部及び少なくとも１つの支持体は、互いに弾性的又は可撓的に接続されるため、少なくとも１つの端部キャップ部又は少なくとも１つの支持体への弾性接続は、押し戻されることができ、又は歪むことができる。このことは、ロータリーピストン又はロータリーピストンポンプが運搬される媒体内の固形物のために詰まることを抑制する。
【００１３】
本発明に係るロータリーピストンによって、ロータリーピストン上の摩耗を低減させることができ、またロータリーピストンポンプを通じた、固形物を含む媒体の連続的な運搬を確保することができる。２つ又は３つの端部キャップを有するロータリーピストンを好ましくは用いる。
【００１４】
少なくとも１つの支持体及び少なくとも１つの端部キャップ部は互いに、少なくとも１つのエラストマー緩衝層経由で接続して、弾性接続を生み出すことができる。支持体は、１つの部品で構成され、又は複数の部品から構成される。
【００１５】
本発明の一実施形態では、ロータリーピストンは、少なくとも１つの輪状パケット経由で又は少なくとも１つの輪経由で、互いに接続される少なくとも２つの端部キャップ部を備えることができる。少なくとも１つの輪状パケット又は少なくとも１つの輪は、少なくとも１つの支持体への接続が生み出されるように、支持体の半径方向外側に配置される２つの端部キャップ部の間で導かれる。
【００１６】
少なくとも１つの輪状パケットは少なくとも１つの支持体に沿って延びることができ、輪状パケットは少なくとも２つの端部キャップ部を、互いに接続し又は支持体のみに接続する。例えば、少なくとも１つの支持体は、少なくとも１つの輪状パケットを、少なくとも部分的に、少なくとも１つの支持体に沿ってその中で導くガイド溝を有することができる。この端部へ向けて、少なくとも２つの端部キャップ部はそれぞれ、少なくとも１つの輪状パケットが巻き付く少なくとも１つの連結手段を有する。言い換えれば、輪状パケットはそれぞれ端部キャップ部の一方で少なくとも１つの連結手段に巻き付き、輪状パケットはそこから少なくとも１つの支持体に沿って延在し、輪状パケットは他方の端部キャップ部で少なくとも１つの連結手段に巻き付く。
【００１７】
本発明のさらなる実施形態によれば、少なくとも１つの支持体及び少なくとも１つの端部キャップ部を互いに、少なくとも１つの輪状パケット経由で接続することができる。すなわち、少なくとも１つの輪状パケットは、少なくとも１つの支持体と少なくとも１つの端部キャップ部との間に延びる。
【００１８】
少なくとも１つの輪状パケット及びエラストマー緩衝層は、少なくとも１つの端部キャップ部の支持体への連結式の又は可撓性のある接続を確保し、同時に少なくとも１つの端部キャップ部の支持体に対する、回転軸線の方向及び回転軸線に垂直な方向だけでなく回転軸線周りの方向の、変位及びたわみを可能にする。
【００１９】
回転軸線に向かう方向への変位中に少なくとも１つの端部キャップ部を、支持体上の緩衝層の圧縮の下、支持できるように、支持体及び少なくとも１つの端部キャップ部をさらに設計することができる。
【００２０】
ロータリーピストンの動作中、少なくとも１つの輪状パケットに張力を主に作用させる。ロータリーピストンの動作中に発生する負荷の結果として、少なくとも１つの端部キャップ部が、例えばロータリーピストンの外側方向及びロータリーピストンの回転軸線に垂直な方向にたわむ場合、少なくとも１つの輪状パケットは引張荷重を受け、所定のたわみ経路の後、少なくとも１つの端部キャップ部の支持体に対する更なるたわみを制限する。その結果、エラストマー緩衝層に対して起こり得る損傷を抑制することができる。
【００２１】
少なくとも１つの支持体及び少なくとも１つの端部キャップ部を互いに、少なくとも１つの輪状パケット配列経由で接続することができる。少なくとも１つのパケット配列の輪状パケットを互いに、ロータリーピストンの軸線方向にオフセットを設けて配置することができる。輪状パケット配列の輪状パケットを更に、少なくとも１つの支持体の、回転軸線の方向に軸線方向の範囲にわたって分布させて配置することができる。更に、輪状パケット配列の輪状パケットを、ロータリーピストンの回転軸線に垂直な平面に配置することもできる。
【００２２】
少なくとも１つの輪状パケット配列の輪状パケットを、少なくとも１つの支持体上及び少なくとも１つの端部キャップ部上に、少なくとも１つの輪状パケット配列の少なくとも２つの輪状パケットが交差するような方法で配置することができる。この実施形態では、輪状パケットは、少なくとも１つの支持体と少なくとも１つの端部キャップ部との間の領域で交差する。
【００２３】
しかしながら、少なくとも１つの輪状パケット配列の輪状パケットを、少なくとも１つの支持体上及び少なくとも１つの端部キャップ部上に、少なくとも１つの輪状パケット配列の輪状パケットが少なくとも１つの支持体と少なくとも１つの端部キャップ部との間に互いに平行に延びるような方法で配置することもできる。
【００２４】
少なくとも１つの輪状パケット経由で生み出される少なくとも１つの支持体と少なくとも１つの端部キャップ部との間の接続を可能にするために、少なくとも１つの支持体上と少なくとも１つの端部キャップ部上にそれぞれ、少なくとも１つの連結手段を設けることができる。ここで、少なくとも１つの輪状パケット配列の少なくとも１つの輪状パケットは、少なくとも１つの支持体及び少なくとも１つの端部キャップ部の、連結手段に巻き付く。連結手段を例えばある種の突起として又はピンの形で構成することができ、連結手段は、少なくとも１つの支持体上及び／若しくは少なくとも１つの端部キャップ部上の、所定の開口部を通って延びることができ、又はこれらの開口部に収容されることができる。しかしながら、他の構造の連結手段も考えられることは言うまでもない。
【００２５】
上述した輪状パケット用のガイドの選択肢に加えて、本発明の一実施形態によれば、少なくとも１つの輪状パケット配列の輪状パケットの全てが、少なくとも１つの端部キャップ部上の少なくとも１つの連結手段に巻き付くこともできる。この端部に向けて、少なくとも１つの輪状パケット配列の輪状パケットは、例えば連結手段経由で、様々な連結位置で、少なくとも１つの支持体へ接続され、これらの連結位置から出発して、少なくとも１つの端部キャップ部上の少なくとも１つの連結手段の方向に支持体上で延びる。言い換えれば、この変形実施形態において、少なくとも１つの輪状パケット配列の輪状パケットの全ては、少なくとも１つの端部キャップ部の少なくとも１つの連結要素で集合し、この連結要素に巻き付く。
【００２６】
本発明の更なる展開によれば、少なくとも１つの輪状パケットを少なくとも１つのガイド要素の周りで導くことができる。ガイド要素は、それらの形状のために、少なくとも１つの端部キャップ部の、少なくとも１つの支持体に対する所定の方向（例えばロータリーピストンの回転軸線周りの方向）のたわみを支持することができる。少なくとも１つのガイド要素を、例えばアーチ形の形状に構成することができる。
【００２７】
一実施形態によれば、少なくとも１つの輪状パケットを、少なくとも一部で、少なくとも１つのエラストマー緩衝層に埋め込むことができる。好ましくは、所定の位置で、エラストマー材料によってロータリーピストンの表面を覆い、輪状パケットをエラストマー材料に埋め込む。このような方法で得られたブランクはその後、それ自体がエラストマーのプロセスから知られるような加硫プロセスにさらされる。
【００２８】
本発明の更なる実施形態によれば、少なくとも１つの支持体及び少なくとも１つの端部キャップ部を互いに形状嵌めによって接続することができる。少なくとも１つの支持体及び少なくとも１つの端部キャップ部が、少なくとも１つの突起及び少なくとも１つの凹部の少なくとも１つの相補的な対を有するように、当該形状嵌めを製造することができる。とりわけ、形状嵌めを生み出すために、少なくとも１つの支持体と少なくとも１つの端部キャップ部との間の、燕尾形の接続がここでは考えられる。この種類の形状嵌めは、所定のたわみ経路の後に、少なくとも１つの端部キャップ部を支持体上で支持できる一方、支持体に対するたわみ又は変位の、方向又は種類に関わらず、同時に緩衝層を圧縮する。
【００２９】
本発明は更に、上述した種類に従う少なくとも１つのロータリーピストンを有するロータリーピストンポンプに関する。
【００３０】
添付の図面を参照して、本発明の典型的な実施形態を、以下詳細に説明する。
【図面の簡単な説明】
【００３１】
【図１】本発明の第１の実施形態に係るロータリーピストンを表示する図である。
【図２】本発明の第１の実施形態に係るロータリーピストンを表示する図である。
【図３】本発明の第１の実施形態に係るロータリーピストンを表示する図である。
【図４】本発明の第１の実施形態に係るロータリーピストンを表示する図である。
【図５】本発明の第２の実施形態に係るロータリーピストンを表示する図である。
【図６】本発明の第２の実施形態に係るロータリーピストンを表示する図である。
【図７】本発明の第２の実施形態に係るロータリーピストンを表示する図である。
【図８】本発明の第２の実施形態に係るロータリーピストンを表示する図である。
【図９】本発明の第３の実施形態に係るロータリーピストンを表示する図である。
【図１０】本発明の第３の実施形態に係るロータリーピストンを表示する図である。
【図１１】本発明の第３の実施形態に係るロータリーピストンを表示する図である。
【図１２】本発明の第３の実施形態に係るロータリーピストンを表示する図である。
【図１３】本発明の第４の実施形態に係るロータリーピストンを表示する図である。
【図１４】本発明の第４の実施形態に係るロータリーピストンを表示する図である。
【図１５】本発明の第４の実施形態に係るロータリーピストンを表示する図である。
【図１６】本発明の第４の実施形態に係るロータリーピストンを表示する図である。
【図１７】本発明の第５の実施形態に係るロータリーピストンを表示する図である。
【図１８】本発明の第５の実施形態に係るロータリーピストンを表示する図である。
【図１９】本発明の第５の実施形態に係るロータリーピストンを表示する図である。
【図２０】本発明の第５の実施形態に係るロータリーピストンを表示する図である。
【図２１】本発明の第６の実施形態に係るロータリーピストンを表示する図である。
【図２２】本発明の第６の実施形態に係るロータリーピストンを表示する図である。
【図２３】本発明の第６の実施形態に係るロータリーピストンを表示する図である。
【図２４】本発明の第６の実施形態に係るロータリーピストンを表示する図である。
【図２５】本発明の第７の実施形態に係るロータリーピストンを表示する図である。
【図２６】本発明の第７の実施形態に係るロータリーピストンを表示する図である。
【図２７】本発明の第７の実施形態に係るロータリーピストンを表示する図である。
【図２８】本発明の第７の実施形態に係るロータリーピストンを表示する図である。
【図２９】本発明の第８の実施形態に係るロータリーピストンを表示する図である。
【図３０】本発明の第８の実施形態に係るロータリーピストンを表示する図である。
【図３１】本発明の第８の実施形態に係るロータリーピストンを表示する図である。
【図３２】本発明の第８の実施形態に係るロータリーピストンを表示する図である。
【図３３】図３３ａ〜３３ｆは、支持体に対するロータリーピストンの端部キャップ部の、考えられるたわみを表示する図である。
【発明を実施するための形態】
【００３２】
図１は、本発明の第１の実施形態に係るロータリーピストン10の斜視図を示す。この種類のロータリーピストン10を例えば、特許文献１（ドイツ特許出願公開10 2010 014 248号明細書）に記載されるようなロータリーピストンポンプに用いることができる。
【００３３】
ロータリーピストン10は、支持体12と、半径方向外側端部それぞれの端部キャップ部14及び16とを備える。支持体12はエラストマー緩衝層18経由で端部キャップ部14, 16に接続される。エラストマー緩衝層18は、図１に示すように、支持体12の周りに構成される。
【００３４】
更に支持体12は、ロータリーピストンポンプ10のハブを形成する開口部20を備え、ロータリーピストン10がロータリーピストンポンプ内に組み込まれた状態のときに、開口部20はロータリーピストン10を駆動するための（図示しない）シャフトを収容できる。（図示しない）ロータリーピストンポンプのシャフトとの接続を生じさせることを可能とするために、開口部又はハブ20は、（図示しない）駆動要素又は嵌合キーを中に収容できる凹部22を備える。
【００３５】
図１に示されているように、端部キャップ部14及び16は初めに、少なくとも部分的において、ロータリーピストン10の側面を形成する。端部キャップ部14, 16はそれ故に、ロータリーピストンポンプを半径方向で外側に区切る。端部キャップ部14, 16はそれぞれ、実質的に半円形の部分24, 26を有する。半円形部分24, 26に隣接して、端部キャップ部14, 16は、エラストマー緩衝層18のための間隔で支持体12の表面32及び34とそれぞれ並行に延びる直線状の接続部28a, 28b及び30a, 30bに合流する。支持体12上の面32及び34は互いに、実質的に平行に延在し、接続部28a, 28b及び30a, 30bのように、エラストマー緩衝層18によって包み込まれる。
【００３６】
エラストマー緩衝層18は、エラストマー緩衝層18が輪状パケット36, 38（図２）を覆うために支持体12の平行な面32, 34を包み込む前に、支持体12と端部キャップ部14及び16との間の半円形部分24及び26の領域で最初に延びる。エラストマー緩衝層18は、支持体12の表面32及び34と、端部キャップ部14及び16の接続部28a, 28b及び30a, 30bとの両方のためのケーシングを形成する。
【００３７】
図２は、部分的に離脱した、ロータリーピストン10の斜視図を示す。
【００３８】
本発明のこの実施形態によれば、複数の部品から支持体12を構成する。支持体12は、上板12a、下板12b、板12aと12bとの間に延在するベース要素12cを備える。
【００３９】
図２に示す輪状パケット36及び38は、端部キャップ部14及び16を接続するに役立つ。連結手段40, 42を端部キャップ部14の接続部28aに構成し、輪状パケット36, 38は連結手段40, 42の周りに巻き付く。連結手段40, 42そして輪状パケット36, 38を、回転軸線Dの方向で、互いにオフセットして配置する。輪状パケット36, 38は、端部キャップ部14上の連結手段40, 42から始まり、支持体12又は支持体12のベース要素12cの、表面32に沿って延びる。輪状パケット36, 38を導くために、ガイド溝44を表面32上に構成し、輪状パケット36, 38を導くために、輪状パケット36, 38のストランドを収容できる。輪状パケット36, 38は、ガイド溝44を通過した後、端部キャップ部16上の（図示しない）連結手段に巻き付く。端部キャップ部16上の（図示しない）連結手段を、端部キャップ部14上の連結手段40, 42と同一に構成することができる。
【００４０】
図１及び２を共に観察することから、ロータリーピストン10の組立てられた状態で、輪状パケット36, 38は、エラストマー緩衝層18に埋め込まれ、又はエラストマー緩衝層18に囲まれることを理解できる。
【００４１】
図３は、支持体12及び端部キャップ部14及び16を有するロータリーピストン10の平面図を示す。支持体12の板12bは、開口部20によって貫通されていないが、開口部20に対する底部を形成し、開口部20の軸線方向の末尾をなすことを、図３は既に示している。
【００４２】
図４は、図３のIII−III切断線に沿ったロータリーピストン10の断面図を示す。
【００４３】
上述のように、図４から、開口部20は支持体12を完全には貫通しておらず、板12bによって終端されていることが明らかである。従って開口部20は、支持体12の板12a及びベース要素12cのみを貫通している。
【００４４】
端部キャップ部14及び16は、階段状の構造であり、階段部14a, 14b及び16a, 16bとともに、支持体12の板12aと12bとの間のロータリーピストン10の回転軸線Dに垂直な方向に延在する。エラストマー緩衝層18は支持体12と端部キャップ部14, 16との間の領域を充填して、支持体12及び端部キャップ部14, 16を、回転軸線Dの方向で、エラストマー緩衝層18経由で連続的に接続する。板12aと12bとの間の回転軸線Dに垂直な板12aと12bの広がりの結果として、板12a及び12bは、端部キャップ部14, 16の支持体12に対する回転軸線D方向のたわみの範囲を定めることができる。すなわち、端部キャップ部14, 16の一部14b, 16bは、緩衝層18の圧縮のもとで、板12a及び12bに当接することができる。
【００４５】
同様に、端部キャップ部14及び16の、回転軸線Dに垂直で回転軸線Dに向かうたわみが、端部キャップ部14及び16の一部14c及び16c、並びに板12a及び12bの周縁部によって制限される。端部キャップ部14及び16の一部14c及び16cは、緩衝層18の圧縮のもとで、板12a及び12bの周縁部と当接することができる。
【００４６】
図１から４を比較して見ると、輪状パケット36, 38は連結手段40, 42と共に、端部キャップ部14, 16間の直接接続を生み出すことを理解できる。輪状パケット36, 38は、支持体12のガイド溝44に収容され又は導かれ、それによってエラストマー緩衝層18によって包み込まれ又はエラストマー緩衝層18に埋め込まれるため、輪状パケット36, 38経由で支持体12への接続もさらに生み出される。
【００４７】
輪状パケット36, 38は、エラストマー緩衝層18と共に、端部キャップ部14又は16の支持体への連結式接続又は可撓性のある接続を確保する。このことは同時に、端部キャップ部14及び16の、支持体12に対する回転軸線Dの方向及び回転軸線Dに垂直な方向の変位及びたわみを許容するだけでなく、回転軸周りの変位及びたわみも許容する。さらに、緩衝層18の圧縮のもとでの回転軸線Dへ向かう方向の変位の場合には、端部キャップ部14及び16を支持体12上で支持することができる。
【００４８】
ロータリーピストン10の動作中、輪状パケット36, 38には主として張力が作用する。ロータリーピストン10の動作中に発生する荷重が、端部キャップ部14, 16の１つを例えば外側方向及び回転軸線Dに垂直な方向へたわませる場合に、輪状パケット36, 38は、引張荷重を受け、所定のたわみ経路の後、端部キャップ部14, 16の一つの支持体12に対するさらなるたわみを制限する。
【００４９】
輪状パケット36, 38は更に、支持体12と端部キャップ部14, 16との間のエラストマー緩衝層18と共に、端部キャップ部14, 16のたわみ後に、端部キャップ部14, 16を最初の位置に戻るよう導く復元移動を可能とする。
【００５０】
図５は、本発明の第２の実施形態に係るロータリーピストン110の斜視図を示す。以下の説明に関して、同様の又は同様に動作する構成要素に対して用いられる参照番号は、上述したものと同じであり、ただし100を加える。
【００５１】
ロータリーピストン110は、支持体112と、エラストマー緩衝層118経由で支持体112に接続される端部キャップ部114, 116とを備える。
【００５２】
本発明の第２の実施形態に従う支持体112は、回転軸線Dの方向に延在し開口部120と共にロータリーピストン110のハブを形成する管状部146を備える。
【００５３】
連結手段148, 150, 152を、支持体112上及び端部キャップ部114, 116上に設ける。連結手段148, 150, 152を、支持体112上の連結突起154と、端部キャップ部上の連結突起156及び158とに配置する。連結手段148, 150は、連結突起154, 156, 158の開口部（より詳細には説明しない）に収容される。ロータリーピストン110の動作中、端部キャップ部114及び116が緩衝層118の圧縮のもとで支持体112に当接できるように対応する構造である。
【００５４】
図６は、部分的に離脱した、ロータリーピストン110の斜視図を示している。これから図６を参照して、３つの連結層162, 164, 166を、端部キャップ部116と向かい合う支持体112の表面160上に構成していることを理解できる（図５及び７）。それぞれの連結層162, 164, 166は２つの連結突起154を有するが、図５に示すように、明瞭にする理由から、１つだけに154を表示している。連結層162, 164, 166はそれぞれ、ピン形状の連結手段1481及び1482を収容できる。
【００５５】
連結手段1481及び1482は、輪状パケット配列168を支持体112へ連結し、輪状パケット配列168はエラストマー緩衝層118と一緒に、端部キャップ部116への接続に役立つ（図５及び８）。支持体112は、更なる輪状パケット配列170経由で端部キャップ部116に接続される。図６では輪状パケット配列170は実質的に隠れて示されている。この実施形態によれば、連結手段1481及び1482はピン形状に構成され、連結手段1481及び1482の長さは、連結層162, 164, 166の大きさに適合している。
【００５６】
連結層162, 164, 166を、回転軸線Dの軸線方向に互いにオフセットして配置するだけでなく、表面160の向かい合う端部172及び174に互い違いにオフセットして配置する。層162, 166は表面160の同じ端部174に配置されるのに対し、連結部層164は表面160の端部172に配置される。
【００５７】
本発明の第２の実施形態によれば、輪状パケット配列168の輪状パケット1681, 1682及び1683は、支持体112上の連結部層162, 164及び166と端部キャップ部116上の対応する連結層との間で表面160沿いに延在する（図８）。
【００５８】
支持体112は、ロータリーピストン110の管状部146を半径方向に取り囲み、例えば図示しない）ロータリーピストンポンプ上にロータリーピストン110を取り付け導くのに役立つ、凹部176を有する。支持体112の表面132上の、表面132の軸線方向端部に、エラストマー緩衝層118を支持するのに役立つストリップ状の突起を見ることができる。
【００５９】
図７は、支持体112を備えるロータリーピストン110の平面図を示す。
【００６０】
図７は更に、支持体112上及び端部キャップ部114, 116上に、連結突起154, 156, 158を順に示す。図７の点線は、輪状パケット配列168及び170の輪状パケット1681及び1701を示す。輪状パケット1681及び1701はそれぞれ、支持体112を、端部キャップ部114及び端部キャップ部116に接続する。この目的を達成するために、輪状パケット配列168及び170はそれぞれ、支持体112上の連結突起1541と端部キャップ部114の連結突起156との間、及び支持体112上の連結突起1542と端部キャップ部116の連結突起158との間で延在する。
【００６１】
輪状パケット配列168及び170は、ここで支持体112上の表面160及び178と並行に延びる。輪状パケット1681及び1701はそれぞれ、支持体112上の連結手段1481及び1483に巻き付き、並びに端部キャップ部114及び116の連結手段150及び152に巻き付く。
【００６２】
図８は、図７のVII−VII切断線に沿った断面図を示す。
【００６３】
ここで、端部キャップ部116上の連結部層180が、支持体112の連結層162と166との間に設けられる。端部キャップ部116の連結層180は、支持体112の連結層162と166との間に係合する。輪状パケット配列168は、４つの輪状パケット1681, 1682, 1683及び1684を備え、４つの輪状パケット1681, 1682, 1683及び1684はそれぞれ、連結手段1481及び1482経由で支持体112に連結し、連結手段152経由で端部キャップ部116に連結される。
【００６４】
言い換えれば、連結層162及び166に収容される輪状パケット1681及び1684は、連結手段1481及び1482経由で支持体112に連結する一方で、連結層180内の輪状パケット1682及び1683は、端部キャップ部116に連結する。それぞれの他方の端部で、輪状パケット1681及び1684は端部キャップ部116に連結し、図６に見られるように、輪状パケット1682及び1683は支持体112に連結する。
【００６５】
輪状パケット1681, 1682, 1683及び1684のそれぞれはそれに応じて、支持体112及び端部キャップ部114へそれぞれ接続され、図５及び８に示すように、輪状パケット1681, 1682, 1683及び1684の支持体上112での連結位置、並びに輪状パケット1681, 1682, 1683及び1684の端部キャップ部114及び116上での連結位置は、それぞれ回転軸線Dの方向で互い違いになる。輪状パケット1681, 1682, 1683及び1684の互い違いの連結位置にもかかわらず、輪状パケット1681, 1682, 1683及び1684は、ロータリーピストンポンプ10の無負荷状態で、互いに平行に延びる。端部キャップ部114の支持体112に対するたわみ又は変位に関して、輪状パケット配列168の輪状パケット1681, 1682, 1683及び1684は、回転軸線Dの方向でそれらが互い違いに連結しているために、交差することができる。
【００６６】
輪状パケット配列168及び180は同様に、エラストマー緩衝層118に埋め込まれる。
【００６７】
図９は、本発明の第３の実施形態に係るロータリーピストン210の斜視図を示す。あらためて、用いられる参照番号は、上述したものと同じであり、ただし200を加える。
【００６８】
ロータリーピストン210は支持体212を有する。支持体212は、支持体212を囲む緩衝層218経由で、端部キャップ部214及び216に接触する。管状部246及び管状部246に構成される開口部220は、ロータリーピストン210のハブを形成する。
【００６９】
本発明の上述した実施形態のように、支持体212の外表面232及び234は、ゴム弾性被覆材料218に包み込まれている。
【００７０】
支持体212上に連結手段2481及び2482, 2483及び2484を設ける。端部キャップ部214及び216に、対応する連結手段2501, 2502, 2521及び2522を設ける。
【００７１】
さらなる説明のために、例示を目的として、特に端部キャップ部216の連結手段2521及び2522について、以下特に言及する。
【００７２】
図１０は、部分的に離脱した、本発明の第３の実施形態に従うロータリーピストン210の斜視図を示す。
【００７３】
支持体212上の連結手段2481, 2482、並びに端部キャップ部216の連結手段2521及び2522（図９）は、輪状パケット2681, 2682, 2683及び2684経由で互いに接続される。輪状パケット配列268の輪状パケット2681, 2682, 2683及び2684はそれぞれ、端部キャップ部216の連結手段2481, 2482の一つに巻き付き、端部キャップ部216の連結手段2511, 2512の一つに巻き付く。例えば、輪状パケット2681は、支持体212上の連結手段2482に巻き付き、端部キャップ部216の連結手段2512に巻き付く。
【００７４】
輪状パケット2682及び2683のように、輪状パケット2681及び2684は互いに平行に延びており、そのため、輪状パケット2681及び2684は輪状パケット2682及び2683と交差する。言及したように、輪状パケット2681, 2682, 2683及び2684は、支持体212上のそれぞれの連結手段2481及び2482に巻き付く。輪状パケット2681, 2682, 2683及び2684はそれから、端部キャップ部216の方向に延び（図９）、輪状パケット2681, 2682, 2683及び2684は関連している端部キャップ部216の連結手段2511及び2512に巻き付く前に、互いに交差する。
【００７５】
輪状パケット2681, 2682, 2683及び2684は連結層に収容されており、連結層262及び264のみを図１０に示している。ここで連結層262及び264は、支持体212に形成される凹部であり、当該凹部内で輪状パケット2681及び2684は、連結手段2481及び2482経由で支持体212に連結される。連結手段2501, 2502, 2521及び2522は、端部キャップ部214及び216を通って連続的に延びる。
【００７６】
図１１は、ロータリーピストン210の平面図を示す。
【００７７】
図１１では、隠れて示されているが、それぞれ交差する輪状パケット2681, 2682及び2701, 2702を有する輪状パケット配列268及び270を認識できる。
【００７８】
一方では、輪状パケット2681, 2682及び2701, 2702は、支持体212上の連結手段2481, 2482, 2483, 2484に巻き付く。そして他方では、輪状パケット2681, 2682及び2701, 2702は、端部キャップ部214の連結手段2501及び2502の周り並びに端部キャップ部216の連結手段2511及び2512に巻き付き、輪状パケット2681, 2682及び2701, 2702は、連結手段2481, 2482, 2483, 2484と、2501, 2502又は2521及び2522との間の領域で交差する。
【００７９】
図１２は、図１１のXI−XI切断線に沿った断面図を示す。
【００８０】
本発明の第２の実施形態によれば、ロータリーピストン210の支持体212を単一部品で構成する。輪状パッケージ配列268及び270は、エラストマー緩衝層218に完全に埋め込まれる。
【００８１】
図１２に示すように、端部キャップ部216上に連結層280が構成される。連結層282を有する端部キャップ部214も同様である。端部キャップ部216において、凹部2801, 2802, 2803によって連結層280は形成されている。輪状パッケージ配列268及び270の輪状パケット2681, 2682, 2683及び2684は、少なくとも端部キャップ部216の領域で、少なくとも部分的に、連結層280によって導かれる。
【００８２】
図１３は、本発明の第４の実施形態に係るロータリーピストン310の斜視図を示す。用いられる参照番号はさらに、上述したものと同じであり、ただし300を加える。
【００８３】
ロータリーピストン310は、ゴム弾性緩衝層318に取り囲まれ、ゴム弾性緩衝層318によって端部キャップ部314及び316に接続される、支持体312を備える。
【００８４】
端部キャップ部314及び316はそれぞれ、連結手段350, 352を有する。支持体312は全部で４つの連結手段3481, 3482, 3483, 3484を有し、それらの２つがそれぞれ、端部キャップ部314及び316の連結手段350及び352に関連している。
【００８５】
図１４は、部分的に離脱した、ロータリーピストン310の斜視図を示す。
【００８６】
連結層362及び364は、支持体312の表面360上に、凹部の形で構成される。連結層362及び364は、連結手段3481に連結するための輪状パケット3681及び3684を収容できる。この実施形態によれば、表面360の向かい合う端部372及び374に、連結手段3481及び3482も設ける。
【００８７】
２つの輪状パケット3681及び3684及び3682及び3683は、支持体312上の連結手段3481, 3482にそれぞれ巻き付く。回転方向Dから見て、外側の２つの輪状パケット3681及び3684は連結手段3482に巻き付き、内側の輪状パケット3682, 3683は連結手段3481に巻き付く。輪状パケット配列368の全ての輪状パケット3681, 3682, 3683, 3684は、端部キャップ部316の連結手段352に巻き付く（図１３）。従って、連結手段352に巻き付くための輪状パケット3681, 3682, 3683, 3684は、端部キャップ部316の連結手段352で集合する。
【００８８】
図１５は、ロータリーピストン310の平面図を示し、同図から、輪状パケット配列368及び370の輪状パケットの誘導が明らかである。輪状パケット3681, 3682及び3701, 3702は、支持体312上の連結手段3481, 3482, 3483, 3484に巻き付き、端部キャップ部314, 316上の連結手段350及び352に巻き付くことによって、Ｖ字形を形成する。
【００８９】
図１６は、図１５のXV−XV切断線に沿った、ロータリーピストン310の側面図を示す。
【００９０】
図１６に、連結手段350及び352を端部キャップ部314上及び316上に示し、輪状パッケージ配列368及び370の輪状パケット3681, 3682, 3683, 3684及び3701, 3702, 3703, 3704はそれぞれ、連結手段350及び352に巻き付く。連結手段350, 352は、端部キャップ部314, 316を完全に通って延びる。輪状パケット配列368及び370は同様に、エラストマー緩衝層318によって覆われている。
【００９１】
図１７は、本発明の第５の実施形態に係るロータリーピストン410の斜視図を示す。本発明の第５の実施形態に係るロータリーピストン410の構造及び動作モードは、大部分が本発明の第４の実施形態に係るロータリーピストン310の構造に相当する。それ故に図１７をより詳細に説明する代わりに、上述した本発明の第４の実施形態からの相違点を明確にする図１８から２０についてこれから言及する。用いられる参照番号はさらに、上述したものと同じであり、ただし400を加える。
【００９２】
図１８は、部分的に離脱した、ロータリーピストン410の斜視図を示している。図１８において、ガイド要素486が示され、輪状パケット4681, 4682, 4683, 4684は、ガイド要素486の周りで、端部キャップ部416の連結手段452の方向に導かれる。輪状パケット配列468の輪状パケット4681, 4682, 4683, 4684は、連結手段4481, 4482からガイド要素468の周りで対応して湾曲した形で、連結手段452の方向に延びて、連結手段452に巻き付く。
【００９３】
図１９は、ロータリーピストン410の平面図を示す。
【００９４】
図１９は、ガイド要素486の周りの輪状パケット配列468及び470の輪状パケット4681, 4682及び4701, 4702の湾曲した行程を明確に示している。ガイド要素486は、回転軸線Dの方向でアーチ形であり、実質的に腎臓の形状である。ガイド要素486は、その形状のために、支持体412に対する端部キャップ部414及び416の回転軸線D周りの傾斜移動を支持する。
【００９５】
図２０は、図１９のXIX−XIX切断線に沿った断面図を示す。
【００９６】
図２０は、一方では支持体412上の連結手段4481を示し、他方では端部キャップ部414上の連結手段450を示す。輪状パケット配列468の輪状パケット4682, 4683、すなわち回転方向で見た内側の輪状パケット4682, 4683（図１８）は、連結手段4481に巻き付く。連結手段4481は支持体412を通って連続的に延びる。
【００９７】
言及したように、輪状パケット配列470の全ての輪状パケット4701, 4702, 4703, 4704は、端部キャップ部414上の連結手段450に巻き付く。
【００９８】
ガイド要素486は、輪状パケット配列468及び480と同様に、エラストマー緩衝層480に完全に埋め込まれる。
【００９９】
輪状パケット4681, 4682, 4683, 4684及び4701, 4702, 4703, 4704は湾曲した形でガイド要素486の周りに導かれ、ガイド要素486自体は回転軸線Dの方向にアーチ形であるために、ロータリーピストン410への負荷時には、ガイド要素486は端部キャップ部414, 416の支持体412に対する回転運動を可能にしながら、エラストマー緩衝層418は同時に圧縮される。ガイド要素486のアーチ形状の結果として、当該回転運動を回転軸線D周りの方向において可能にする。
【０１００】
図２１は、本発明の第６の実施形態に係るロータリーピストン510の斜視図を示す。用いられる参照番号はさらに、上述したものと同じであり、ただし500を加える。
【０１０１】
図２１は、ロータリーピストン510の支持体512並びに端部キャップ部514及び516を示す。端部キャップ部514及び516は、エラストマー緩衝層518経由で支持体512に接続される。エラストマー緩衝層518は、支持体512の周面を取り囲む。
【０１０２】
図２２は、部分的に離脱した、ロータリーピストン510の斜視図を示す。
【０１０３】
図２２において、輪状パケット配列568の輪状パケット5681, 5682は、それぞれの組において、支持体512上の連結手段5481, 5482の一つに巻き付き、端部キャップ部516の連結手段5521, 5522の一つに巻き付く（図３１）。輪状パケット5681及び5682はそれぞれ、連結手段5481, 5482及び連結手段5521, 5522に関連する。
【０１０４】
支持体512は、表面560内の凹部の形として連結層562及び564を有する。輪状パケット5681, 5682は、当該凹部又は連結層562及び564を通って延び、それによって連結手段5481, 5482に巻き付く。輪状パケット5681, 5682は、それから端部キャップ部516上で連結手段5521, 5522の方向に延びて、連結手段5521, 5522に巻き付く。
【０１０５】
図２３は、ロータリーピストン510の平面図を示す。
【０１０６】
本発明のこの実施形態によれば、２つの輪状パケット5681, 5682及び5701, 5702はそれぞれ、輪状パケット配列568及び570を形成し、輪状パケット5681, 5682及び5701, 5702は、互いに平行に延び、それぞれ回転軸線Dに垂直な面に位置する。上述したように、輪状パケット5681は、例えば、支持体512上の連結手段5481に巻き付き、端部キャップ部516上の連結手段5521に巻き付く。同じ事が更なる輪状パケット5682及び5701, 5702に当てはまる。
【０１０７】
図２４は、図２３のXXIII−XXIII切断線に沿った、ロータリーピストン510の断面図を示す。
【０１０８】
支持体512内の凹部564と同様に、端部キャップ部516もその中に構成された凹部580を有し、凹部580内に輪状パケット5681を部分的に収容する。
【０１０９】
開口部が、支持体512及び端部キャップ部516を貫通し、連結手段5481及び5521を当該開口部内に収容できる。輪状パケット5681を、支持部512の凹部564内へ挿入することができ、端部キャップ部516上の凹部580内へ挿入することができる。この後に、輪状パケット5681を支持体512及び端部キャップ部516の両方に連結するために、連結手段5481及び5522を対応する開口部内へ挿入する。
【０１１０】
輪状パケット5681は、連結手段5481と5521との間の領域で、エラストマー緩衝層518に埋め込まれる。
【０１１１】
図２５は、本発明の第７の実施形態に係るロータリーピストン610の斜視図を示す。用いられる参照番号は、上述したものと同じであり、ただし600を加える。
【０１１２】
ロータリーピストン610は、ゴム弾性緩衝層618に取り囲まれ、ゴム弾性緩衝層618によって端部キャップ部614及び616に接続される、支持体612を備える。端部キャップ部614及び616はそれぞれ連結手段650, 652を有する。支持体612は２つの連結手段6481, 6482を備え、連結手段6481, 6482はそれぞれ端部キャップ部614, 616の連結手段650及び652に関連する。
【０１１３】
図２６は、部分的に離脱した、ロータリーピストン610の斜視図を示す。
【０１１４】
支持体612において、支持体612の表面660内に凹部662, 664を見ることができる。凹部662, 664を回転軸線Dの方向で互いに引き離して、すなわち互いにオフセットさせて配置する。しかしながら、凹部662, 664は、回転軸線Dの方向に一直線上に存在する。輪状パケット配列668の輪状パケット6681及び6682は、支持体612上の連結手段6481に巻き付き、端部キャップ部616上の連結手段652に巻き付く（図２５）。２つの輪状パケット6681及び6682はそれ故に、共に連結手段6481及び652に巻き付く。
【０１１５】
図２７は、ロータリーピストン610の平面図を示す。
【０１１６】
輪状パケット6681及び6701は、回転軸線Dの方向で互いに上方に配置されており、このことは、輪状パケットが回転軸線Dの方向で見て一直線上であることを意味するため、図２７は、輪状パケット配列668及び670の輪状のパケットの１つ6681及び6701のみをそれぞれ示す。
【０１１７】
図２８は、図２７のXVII−XVII切断線に沿った、ロータリーピストン610の断面図を示す。
【０１１８】
支持体612上の凹部662, 664並びに端部キャップ部614及び616上の凹部6801及び6802は、輪状パケット6681, 6682及び6701, 6702を収容することができる。輪状パケット6681, 6682及び6701, 6702は、連結手段6481, 6482経由で支持体612に連結し、連結手段650, 652経由で端部キャップ部614, 616に連結する。輪状パケット6681, 6682及び6701, 6702の、凹部662, 664及び6801, 6802に収容されていない部分は、エラストマー緩衝層618に埋め込まれる。連結手段6481, 6482及び連結手段650, 652は、端部キャップ部614, 616及び支持体612を完全に通って軸線方向に延在する。
【０１１９】
図２９から３２は、本発明の第８の実施形態に係るロータリーピストン710の様々な図を示す。用いられる参照番号、上述したものと同じであり、ただし700を加える。
【０１２０】
ロータリーピストン710は、エラストマー緩衝層718によって取り囲まれる支持体712を有する。エラストマー緩衝層718は、支持体712を端部キャップ部714及び716に接続する。
【０１２１】
図２９において、本発明のこの実施形態に係る支持体712が、端部キャップ部714及び716に、形状嵌めによって接続されていることを既に理解できる。この目的を達成するために、突起788及び790を支持体712上に構成することができる。突起788及び790は、端部キャップ部714及び716の対応する凹部792及び794に収容される。エラストマー緩衝層718は、突起788, 790及び対応する凹部792, 794の間に延びる。
【０１２２】
支持体712上で、回転軸線Dの軸線方向に、支持体712の全範囲にわたって、突起788及び790が構成される（図３０）。同じ事が端部キャップ部714及び716内の凹部792, 794にも当てはまる。
【０１２３】
図３１を接近して観察すると、支持体712と端部キャップ部714と716との間の形状嵌めが、分離した燕尾形の接続によって生み出されていることが示されている。凹部792, 794と同様に、突起788及び790は、実質的に丸い燕尾形状を有する。端部キャップ部714及び716の支持体712に対する回転軸線D周りの、たわみ能力又は傾斜移動を促進するために、突起788及び790並びに凹部792及び794の両方が丸く構成される。突起788及び790並びに凹部792及び794の形状の結果として、端部キャップ部714及び716は、エラストマー緩衝層718の圧縮のもとで、突起788及び790に当接し又は突起788及び790に支持されるため、端部キャップ部714及び716の支持体712に対する伸長又はたわみを、所定のたわみ経路の後に制限することができる。結果的に、ロータリーピストン710の動作中、エラストマー緩衝層718には、主に圧縮力が作用し、ほんの小さな剪断力が作用する。
【０１２４】
図３３ａから３３ｆは、端部キャップ部14, 16に関する、支持体12に対する様々なたわみの選択肢を示す。
【０１２５】
図３３ａは、例として、本発明の第１の実施形態の斜視図を示し、改良された姿勢に対する座標系を当該図に示す。
【０１２６】
図３３ｂは、ロータリーピストン10の正常位置を示す。
【０１２７】
図３３ｃは、端部キャップ部14の支持体12に対する（図３３ａの）Ｚ軸線方向の変位、いわゆる剪断荷重を示す。
【０１２８】
図３３ｄは、端部キャップ部14の（図３３ａの）Ｙ軸線周りの傾斜を示す。
【０１２９】
図３３ｅは、端部キャップ部14の支持体12の方向の、すなわち（図３３ａの）Ｘ軸線方向の運動のための、緩衝層18の圧縮又は座屈を示す。
【０１３０】
図３３ｆは、端部キャップ部14の支持体12に対する（図３３ａの）Ｚ軸線周りの傾斜を示す。
【０１３１】
上述した実施形態のすべては、端部キャップ部の支持体への連結式接続又は可撓性のある接続を可能にして、ロータリーピストンの回転軸線方向、当該回転軸線に垂直な方向及び当該回転軸線周りの方向の、端部キャップ部のたわみ又は変位を許容し、このことは、ロータリーピストンの摩耗を低減し、ロータリーピストンポンプの固形体の可動性を向上させるのに寄与する。
【図１】
0005993462.tif 000002
【図２】
0005993462.tif 000003
【図３】
0005993462.tif 000004
【図４】
0005993462.tif 000005
【図５】
0005993462.tif 000006
【図６】
0005993462.tif 000007
【図７】
0005993462.tif 000008
【図８】
0005993462.tif 000009
【図９】
0005993462.tif 000010
【図１０】
0005993462.tif 000011
【図１１】
0005993462.tif 000012
【図１２】
0005993462.tif 000013
【図１３】
0005993462.tif 000014
【図１４】
0005993462.tif 000015
【図１５】
0005993462.tif 000016
【図１６】
0005993462.tif 000017
【図１７】
0005993462.tif 000018
【図１８】
0005993462.tif 000019
【図１９】
0005993462.tif 000020
【図２０】
0005993462.tif 000021
【図２１】
0005993462.tif 000022
【図２２】
0005993462.tif 000023
【図２３】
0005993462.tif 000024
【図２４】
0005993462.tif 000025
【図２５】
0005993462.tif 000026
【図２６】
0005993462.tif 000027
【図２７】
0005993462.tif 000028
【図２８】
0005993462.tif 000029
【図２９】
0005993462.tif 000030
【図３０】
0005993462.tif 000031
【図３１】
0005993462.tif 000032
【図３２】
0005993462.tif 000033
【図３３ａ】
0005993462.tif 000034
【図３３ｂ】
0005993462.tif 000035
【図３３ｃ】
0005993462.tif 000036
【図３３ｄ】
0005993462.tif 000037
【図３３ｅ】
0005993462.tif 000038
【図３３ｆ】
0005993462.tif 000039